(57)【要約】【課題】舌状のストッパー片等を用いることなく、開封時における内容物の切断等による破損を予防することができる封筒の提供を課題とする。【解決手段】表紙部と裏紙部２０とからなり、書類等の内容物Ｃを差し入れするための内容物差入口３０を設けると共に該内容物差入口３０を封緘するための封緘片１１を前記表紙部に設け、該封緘片１１を折り返して前記内容物差入口３０を覆うと共にその先の裏紙部２０の糊付用領域２２に糊付けすることで前記内容物差入口３０を封緘するようにした封筒１であって、前記裏紙部２０の糊付用領域２２の１乃至複数個所に、裏紙部２０と封緘片１１との糊付けを回避するための糊付回避窓２１を設け、該糊付回避窓２１では、前記封緘片１１による糊付けが、裏紙部２０とではなく、表紙部の内面との間で直接行われるように構成した。【選択図】      図２
2014114016.tif 000002
【特許請求の範囲】
【請求項１】
表紙部と裏紙部とからなり、書類等の内容物を差し入れするための内容物差入口を設けると共に該内容物差入口を封緘するための封緘片を前記表紙部に設け、該封緘片を折り返して前記内容物差入口を覆うと共にその先の裏紙部の糊付用領域に糊付けすることで前記内容物差入口を封緘するようにした封筒であって、前記裏紙部の糊付用領域の１乃至複数個所に、裏紙部と封緘片との糊付けを回避するための糊付回避窓を設け、該糊付回避窓では、前記封緘片による糊付けが、裏紙部とではなく、表紙部の内面との間で直接行われるように構成したことを特徴とする封筒。
【請求項２】
糊付回避窓は、初期状態において裏紙部の一部で封鎖した状態に構成されると共に、該糊付回避窓に沿って設けられた切取線に沿って前記裏紙部の一部が切り取られることで、自在に開口される構成としてあることを特徴とする請求項１に記載の封筒。
【発明の詳細な説明】
【技術分野】
【０００１】
本発明は封筒に関し、詳しくは封筒を開封する際に内容物の破損を予防することができる封筒に関する。
【背景技術】
【０００２】
送られてきた封筒を開封する際、封筒の封緘部をハサミやペーパーナイフ等で切り取って開封する。このとき、中に入っている書類等の内容物を一緒に切り取ってしまう等、内容物を破損させることがある。
実用新案登録第３１４１７９７号公報（特許文献１）には、内容物の書類などを開封時に破損することなく簡単に開封できる封筒が開示されている。この封筒によれば、封筒の下端側に内容物が侵入することができない内容物侵入阻止部分を予め設けておき、その内容物侵入阻止部分の境界線付近の材質を直線切り裂け性のある材料とすると共に、その内容物侵入阻止部分の境界線の延長と封筒胴体の辺の交点付近に切り込みを設けるようにした構成が開示されている。
特開平１０−１２９６７９号公報（特許文献２）には、内容物の破損を防止するものではないが、内容物が封筒内で移動するのを防止することを目的とした切欠付き封筒（１）が開示されている。この封筒によれば、封筒裏面（３）の開口部（４）から封筒表面の透明シートあて名表示窓（５）に至る切欠部（７）が開示されている。
特開平６−１３５４４５号公報（特許文献３）には、開封時における内容物の破損を予防するものとして、封筒における封入書類の位置ずれ防止構造が開示されている。この構造によれば、封筒（Ａ）の裏面部（２）にストッパー片（５）を設けて、該ストッパー片（５）を折り曲げるようにした構造、ストッパー片（５）を対面側のスリットに差し込むようにした構造、ストッパー片（５）を対面側に接着させるようにした構造等が開示されている。
【先行技術文献】
【特許文献】
【０００３】
【特許文献１】実用新案登録第３１４１７９７号公報
【特許文献２】特開平１０−１２９６７９号公報
【特許文献３】特開平６−１３５４４５号公報
【発明の概要】
【発明が解決しようとする課題】
【０００４】
上記特許文献１は、内容物侵入阻止部分を予め設けているので、その分だけ封筒のスペースが減る問題があり、差し込むことができる内容物の寸法がその分だけ小さくなる。また封緘部であるベロ部で開封する場合（開封者はしばしば封緘部で開封しようとする傾向がある）には、やはり内容物が破損する問題が生じる。
上記特許文献２は、切欠部（７）の存在により内容物のあて名位置を封筒の透明シートあて名表示窓（５）の位置に位置決めするのには効果はあるものの、内容物の上端部そのものの位置が規制されているわけではないので、開封時に内容物を破損するおそれが依然として残る。また切欠部（７）が深いので、もしこの切欠部（７）と綴じしろ粘着部（６）で開封時の内容物の破損を予防しようとすれば、内容物の高さ寸法をかなり低く規制しなければならないという問題が生じる。
上記特許文献３は、ストッパー片（５）を開口部（３）に突出して形成する構造のもの（図１〜図５）では、封筒紙の切断作業、封筒の組立作業等が必ずしも容易ではなく、封筒製造に時間とコストとが必要となる問題がある。またストッパー片（５）に糊等を施したものを封筒に設備させるような構造のものは、一層、封筒の製造が複雑で多工程となる等の問題がある。また図６に示すようなストッパー片（５）の場合は、製造上の作業が複雑となることはないが、このストッパー片（５）を折り曲げるだけでは、書類の移動阻止力が弱い欠点がある。この弱点を補強するのに糊等をストッパー（５）に施す場合には、製造作業が大変複雑となり、コストの増加が大きいという問題がある。
【０００５】
そこで本発明は上記従来技術の問題を解消し、舌状のストッパー片等を用いることなく、開封時における内容物の切断等による破損を予防することができる封筒の提供を課題とする。
【課題を解決するための手段】
【０００６】
上記課題を達成するため本発明の封筒は、表紙部と裏紙部とからなり、書類等の内容物を差し入れするための内容物差入口を設けると共に該内容物差入口を封緘するための封緘片を前記表紙部に設け、該封緘片を折り返して前記内容物差入口を覆うと共にその先の裏紙部の糊付用領域に糊付けすることで前記内容物差入口を封緘するようにした封筒であって、前記裏紙部の糊付用領域の１乃至複数個所に、裏紙部と封緘片との糊付けを回避するための糊付回避窓を設け、該糊付回避窓では、前記封緘片による糊付けが、裏紙部とではなく、表紙部の内面との間で直接行われるように構成したことを第１の特徴としている。
また本発明の封筒は、上記第１の特徴に加えて、糊付回避窓は、初期状態において裏紙部の一部で封鎖した状態に構成されると共に、該糊付回避窓に沿って設けられた切取線に沿って前記裏紙部の一部が切り取られることで、自在に開口される構成としてあることを第２の特徴としている。
【発明の効果】
【０００７】
請求項１に記載の封筒によれば、書類等の内容物は、表紙部と裏紙部とからなる封筒の内容物差入口から封筒内に差し入れられる。そして表紙部の封緘片を裏紙部側に折り返すことで内容物差入口を覆うことができる。そして前記折り返された封緘片を更に内容物差入口の先の裏紙部の糊付用領域に糊付けすることで、封緘が行われる。
また請求項１に記載の封筒によれば、裏紙部の糊付用領域の１乃至複数個所に、糊付回避窓を設けているので、該糊付回避窓では、封緘片による糊付けが窓を介して直接表紙部の内面に対して行われる。
従って、書類等の内容物を封筒内に差し入れた際に、前記糊付回避窓よりも下方の位置に内容物が配置するようにすれば、封緘後において、前記内容物が前記封緘片と表紙部の内面との糊付け位置より上の位置に移動することができなくなる。
また開封の際には、前記糊付回避窓よりも上の位置で切断等して開封する限りにおいて、内容物が開封と同時に切断される等の破損を受けることが確実に予防される。
よって請求項１の発明によれば、簡単な構成で、内容物の開封の際における破損を確実に予防することができる。
【０００８】
また請求項２に記載の封筒によれば、上記請求項１に記載の構成による作用効果に加えて、裏紙部の糊付回避窓は、その初期状態においては、開口した状態ではなく、裏紙部の一部で封鎖された状態となっているので、例えば封筒一杯に近いような面積を有する書類等の内容物を封筒に入れる場合は、糊付回避窓を閉鎖状態のままとすることで、封緘片による封緘の際に、内容物が封緘片によって好まざる状態に糊付けされてしまうことが防止される。
一方で、前記糊付回避窓に満たないような書類等の内容物については、糊付回避窓にそって設けられる切取線で裏紙部の一部を切り取った状態として封緘することで、開封の際の内容物の破損を予防することができる。
【図面の簡単な説明】
【０００９】
【図１】本発明の第１の実施形態に係る封筒の封緘前の状態を示す正面図である。
【図２】本発明の第１の実施形態に係る封筒の封緘前の状態を示す背面図である。
【図３】本発明の第１の実施形態に係る封筒の封緘後の状態を示す背面図である。
【図４】本発明の第１の実施形態に係る封筒の開封時の状態を示す背面図である。
【図５】本発明の第２の実施形態に係る封筒の封緘前の状態を示す正面図である。
【発明を実施するための形態】
【００１０】
先ず図１、２を参照して、本発明の第１の実施形態に係る封筒を説明する。
封筒１は、封筒の表を構成する表紙部１０と、封筒の裏を構成する裏紙部２０とからなる。
表紙部１０と裏紙部２０とは内容物差入口３０を除く３辺で封止された状態となって、封筒１を構成している。
【００１１】
前記表紙部１０には、前記内容物差入口３０を封緘するための封緘片１１が、表紙部１０の一部として、内容物差入口３０に延長して形成されている。この封緘片１１を、内容物差入口３０の縁で裏紙部２０側に折り曲げ、糊付け等で裏紙部２０に接着することで封緘を完了させることができる。
前記封緘片１１の背面には、接着剤１２が、剥離紙１２ａで被覆された状態で、積層されている。
なお封筒１の形状は、図に示すものは縦長の長方形としているが、横長の長方形や正方形であってもよい。また、その他の形状であっても可能である。要するに、封筒であって、内容物差入口３０と、該内容物差入口３０を封緘するための前記封緘片１１が折り曲げ自在に形成されている封筒であればよい。
【００１２】
表紙部１０には、この封筒が書類誤切断防止封筒である旨の記述１３を表示しておくことができる。
また表紙部１０には、該表紙部１０の延長部である封緘片１１よりも下の位置、即ち内容物差入口３０よりも下の位置において、後述する糊付回避窓２１に対応した位置に窓マーク１４を表示しておくことができる。
また表紙部１０には前記窓マーク１４と共に、前記糊付回避窓２１に対応する高さ位置にレベル線１５を表示することができる。
また表紙部１０には、前記レベル線１５に加えて、封筒の中に入れる書類等の内容物Ｃの丈（内容物を封筒内に入れる際の封筒の底からの高さ）がレベル線１５以下の場合は、裏面の糊付回避窓２１を開口する旨の注意書き１６を表示することができる。
その他、前記表紙部１０には、郵便番号記入部１７や切手貼付部１８を表示しておくことができる。
【００１３】
裏紙部２０には、内容物差入口３０より少し下方の位置に糊付回避窓２１が設けられている。この糊付回避窓２１は、本実施態様では一対を相互に対称的に離間して設けている。しかし、一対に限定されるものではない。
前記糊付回避窓２１は、より具体的には、前記封緘片１１の背面に施された接着剤１２によって糊付けされる裏紙部２０の糊付用領域２２に設けられる。そして、その位置よりも上（内容物差入口３０側）に内容物Ｃが偏在しないようにしたい位置に設けられる。
糊付回避窓２１を設けることで、該糊付回避窓２１の位置では、封緘片１１の接着剤１２が、裏紙部２０ではなく、表紙部１０の内面に直接糊付けされる状況を作り出すことができる。これによって封緘後は内容物Ｃが前記糊付回避窓２１の位置よりも上方には移動することができなくなるので、開封の際に内容物Ｃの切断等による破損が防止される。
【００１４】
前記糊付回避窓２１は、初期状態においては、裏紙部２０の一部で封鎖した状態に構成されている。即ち糊付回避窓２１は、初期状態では、窓に沿って形成されたミシン目等の切取線２１ａが設けられているものの、窓の中は裏紙部２０による窓紙２１ｂがそのまま残っている状態とされている。
このように、糊付回避窓２１を、その初期状態において裏紙部２０の一部で封鎖した状態に構成したのは、封筒１をその収容可能面積一杯まで有効に使えるようにすることを考慮したことによる。
もし内容物Ｃの大きさが糊付回避窓２１の位置を超えるような場合には、当初から糊付回避窓を開口していると、内容物Ｃが糊付回避窓２１の位置で不具合が生じるおそれがある。しかし、その場合でも、糊付回避窓２１の窓を開口しない状態に維持すれば、大きい内容物Ｃでも封筒の面積一杯まで利用して収容することができる。
【００１５】
また裏紙部２０には、前記糊付回避窓２１に対応する高さ位置（糊付回避窓２１の下辺位置）にレベル線２３を表示し、更に封筒１の中に入れる書類等の内容物Ｃの丈（内容物を封筒内に入れる際の封筒の底からの高さ）がレベル線２３以下の場合は、両側の糊付回避窓２１を開口する旨の注意書き２４を表示することができる。
【００１６】
なお、本実施形態では封緘片１１の背面に予め接着剤１２を施しているが、必ずしも予め施しておく必要はない。封緘の際に糊を、封緘片１１の背面若しくは裏紙部２０の表面に塗ればよい。この際、糊が裏紙部２０の前記糊付用領域２２に施されるようにし、開口された糊付回避窓２１を通して、封緘片１１と表紙部１０の内面とが直接接着するようにすればよい。
【００１７】
前記糊付回避窓２１の大きさは、封筒１を開封して内容物Ｃを取り出す際に、糊付回避窓２１での封緘片１１と表紙部１０との糊付け部分が簡単に剥がれる程度となるような大きさとするのが好ましい。
勿論、前記糊付回避窓２１は、その窓内の全域が全て接着剤１２により糊付けされる糊付用領域２２に属している必要はない。糊付回避窓２１の少なくとも一部が糊付用領域２２の一部に属しておれば、糊付回避窓２１の位置で封緘片１１と表紙部１０の内面とが糊付けされ、目的が達成される。
【００１８】
図３、図４も参照して、本発明の封筒の使用方法を次に説明する。
今、封筒に入れる書類等の内容物Ｃの準備が整うと、封筒１を用意し、封筒の内容物差入口３０から内容物Ｃを内部に収容する。
封筒１の大きさは、例えばＡ４版より大きくしておき、封筒１に収容した際に、Ａ４版の書類（内容物Ｃ）がレベル線２３より下に位置するようにしておくことができる。
封筒１内に収容された内容物Ｃの大きさが、前記糊付回避窓２１に達しない（レベル線２３より下）大きさの場合は、糊付回避窓２１の切取線２１ａに沿って窓紙２１ｂを切り取り、糊付回避窓２１の窓を開口する。
その後、封緘片１１を裏紙部２０側に折り曲げ、接着剤１２の剥離紙１２ａを剥がして、裏紙部２０の糊付用領域２２に対して糊付けを行う。これによって、糊付回避窓２１の窓を介して封緘片１１と表紙部１０の内面とが接着し、内容物Ｃが糊付回避窓２１の位置よりも内容物差入口３０の方向に移動するのを防止（図３参照）することができる。
一方、前記内容物Ｃを内容物差入口３０から封筒１内に入れた際、内容物Ｃの大きさが大きく、糊付回避窓２１に達した（レベル線２３より上）場合には、糊付回避窓２１は開口せずに、そのまま閉鎖状態とする。
その後、封緘片１１を裏紙部２０側に折り曲げ、接着剤１２の剥離紙１２ａを剥がして、裏紙部２０の糊付用領域２２に対して糊付けを行う。これによって、面積の大きな書類等の内容物であっても、封筒１の面積を目一杯利用して収容し、送ることができる。
【００１９】
図５を参照して、本発明の第２の実施形態に係る封筒を説明する。
本第２の実施形態の封筒２は、表紙部４０の構成のみが第１の実施形態の表紙部１０と相違するだけで、裏紙部２０の構成は同じである。
本実施形態の封筒２の表紙部４０においては、第１の実施形態の開口形状マーク１４の代わりに、切取用窓４４を設けている。前記切取用窓４４は、書類等の内容物Ｃが大きい場合に、封筒を受け取った者がそれを外から確認できるようにする為に設けられている。これによって、開封する際に内容物Ｃが誤って切断等によって破損されるのを防止することができる。
前記切取用窓４４は、本実施形態では一対を相対的に離間して設けている。しかし、これに限定されるものではなく、１つ以上設けることができる。また大きさも、本実施形態のものに限定されるものではなく、要するに内容物Ｃが大きいことが判る程度に構成することができる。
【００２０】
切取用窓４４は、初期状態においては、窓に沿って形成されたミシン目等の切取線４４ａで表紙部４０による窓紙４４ｂを囲った状態とされており、窓紙４４ｂは残ったままで切取用窓４４は封鎖されている。
また表紙部４０には、前記切取用窓４４と共に、裏紙部２０の糊付回避窓２１（レベル線２３）に対応する位置にレベル線４５を表示している。
更にレベル線４５に加えて、封筒の中の内容物Ｃの大きさ（丈）がレベル線４５以上の場合は、横の切取用窓４４を開口する旨の注意書き４６を表示することができる。
【００２１】
書類等の内容物Ｃの大きさがレベル線４５（裏紙部２０のレベル線２３）よりも大きい（丈が長い）場合には、切取線４４ａで窓紙４４ｂを切り取って切取用窓４４を開口した状態で封緘し、封筒２を差し出す。このようにすることにより、封筒２を受け取った者に切取用窓４４を通して内容物Ｃの大きさが判り、開封時に切断等により誤って内容物Ｃを破損させてしまうことを防止することができる。
一方、内容物Ｃの大きさがレベル線４５（裏紙部２０のレベル線２３）よりも小さい場合には、窓紙４４ｂは切り取らずに切取用窓４４を封鎖した状態のままで封緘し、封筒２を差し出す。これにより封筒２を受け取った者は、内容物Ｃが表紙部４０の切取用窓４４（レベル線４５）より下の位置で保持されていることが判り、レベル線４５より上の位置で自由に開封（切断）することができる。
【００２２】
その他、封緘片４１、接着剤４２（剥離紙４２ａ）、書類誤切断防止封筒である記述４３、郵便番号記入欄４７、切手貼付部４８の構成は、第１の実施形態と同じ構成としている。
【符号の説明】
【００２３】
１        封筒
２        封筒
１０      表紙部
１１      封緘片
１２      接着剤
１２ａ    剥離紙
１３      記述
１４      開口形状マーク
１５      レベル線
１６      注意書き
１７      郵便番号記入部
１８      切手貼付部
２０      裏紙部
２１      糊付回避窓
２１ａ    切取線
２１ｂ    窓紙
２２      糊付用領域
２３      レベル線
２４      注意書き
３０      内容物差入口
４０      表紙部
４１      封緘片
４２      接着剤
４２ａ    剥離紙
４３      記述
４４      切取用窓
４４ａ    切取線
４４ｂ    窓紙
４５      レベル線
４６      注意書き
４７      郵便番号記入部
４８      切手貼付部
Ｃ        内容物
【図１】
2014114016.tif 000003
【図２】
2014114016.tif 000004
【図３】
2014114016.tif 000005
【図４】
2014114016.tif 000006
【図５】
2014114016.tif 000007